(57)【要約】【課題】大量の遠赤外線を長い間放射することができ、食材に対して遠赤外線の効果を良好に作用させることができ、ガスバーナーのガスを完全燃焼させることができるガスバーナー用完全燃焼キャップを提供する。【解決手段】ガスバーナーの火炎噴射ノズル２３が嵌め込まれるノズル受け孔７を有し、火炎噴射ノズルに着脱自在に被せられるキャップ本体２と、キャップ本体２の中心部分を貫通して火炎噴射ノズル２３に臨む噴射孔部３と、噴射孔部３を囲む周囲に形成された複数の放熱孔部４と、噴射孔部３と放熱孔部４とを区切ると共に隣接する放熱孔部を区切る肉薄の隔壁部５と、を備える。ノズル受け孔７に対し、噴射孔部３及び放熱孔部４が小径に形成されている。【選択図】図１
2020056522.tif 000002
【特許請求の範囲】
【請求項１】
ガスバーナーの火炎噴射ノズルが嵌め込まれるノズル受け孔を有し、前記火炎噴射ノズルに着脱自在に被せられるキャップ本体と、
前記キャップ本体の中心部分を貫通して前記火炎噴射ノズルに臨む噴射孔部と、
前記噴射孔部を囲む周囲に形成された複数の放熱孔部と、
前記噴射孔部と前記放熱孔部とを区切ると共に隣接する放熱孔部を区切る肉薄の隔壁部と、を備え、
前記ノズル受け孔に対し前記噴射孔部及び放熱孔部が小径に形成されていることを特徴とするガスバーナー用完全燃焼キャップ。
【請求項２】
前記キャップ本体は、前記放熱孔部の周囲を囲む肉厚の保温部をさらに有していることを特徴する請求項１記載のガスバーナー用完全燃焼キャップ。
【発明の詳細な説明】
【技術分野】
【０００１】
本発明は、ガスバーナーに取り付けられることにより、ガスバーナーからのガスを完全燃焼させると共に食材に対して遠赤外線を照射するガスバーナー用完全燃焼キャップに関する。
【背景技術】
【０００２】
寿司や刺身、鳥獣肉、カット野菜等の食材に対しては、ガスバーナーの火炎によって炙ることにより香ばしさを付与することがなされている。
特許文献１には、このためのガスバーナー火炎噴射ノズル用キャップが開示されている。このキャップは筒体と、メッシュ体からなり筒体の先端部分を塞ぐ金属線メッシュ体とによって形成されており、金属線メッシュ体には、セラミックが塗布されている。
【０００３】
このキャップは、ガスバーナーの火炎噴射ノズルの先端に取り付けられて使用される。そして火炎噴射ノズルから火炎が噴射されることにより金属線メッシュ体が高温度に加熱されるため、食材を炙るようになっている。この場合、金属線メッシュ体のセラミックから遠赤外線が放射されるため、食材をふっくらとさせることできるというものである。
【先行技術文献】
【特許文献】
【０００４】
【特許文献１】実用新案登録第３１２５０１５号公報
【発明の概要】
【発明が解決しようとする課題】
【０００５】
しかし、従来のキャップは、ガスバーナーからのガスを完全燃焼させることができず、食材にガス臭が付着する問題を有している。又、金属線メッシュ体が細い線材によって形成されているため、熱容量が小さく、大量の遠赤外線を放射することができないと共に火炎を停止すると直ちに遠赤外線の放射が停止する。このため遠赤外線の効果を良好に発揮できない問題がある。又、金属線が細いため、金属線の断線や曲がりが頻発し易く耐久性が小さい問題も有している。
【０００６】
本発明は、このような従来の問題点を考慮してなされたものであり、ガスバーナーに取り付けられることによりガスバーナーのガスを完全燃焼させることができ、しかも大量の遠赤外線を長い間放射することができ、食材に対して遠赤外線の効果を良好に作用させることができ、さらには耐久性も向上したガスバーナー用完全燃焼キャップを提供することを目的とする。
【課題を解決するための手段】
【０００７】
本発明のガスバーナー用完全燃焼キャップは、ガスバーナーの火炎噴射ノズルが嵌め込まれるノズル受け孔を有し、前記火炎噴射ノズルに着脱自在に被せられるキャップ本体と、前記キャップ本体の中心部分を貫通して前記火炎噴射ノズルに臨む噴射孔部と、前記噴射孔部を囲む周囲に形成された複数の放熱孔部と、前記噴射孔部と前記放熱孔部とを区切ると共に隣接する放熱孔部を区切る肉薄の隔壁部と、を備え、前記ノズル受け孔に対し前記噴射孔部及び放熱孔部が小径に形成されていることを特徴とする。
【０００８】
又、本発明において、前記キャップ本体は、前記放熱孔部の周囲を囲む肉厚の保温部をさらに有していることを特徴する。
【発明の効果】
【０００９】
本発明によれば、ノズル受け孔に対し噴射孔部及び放熱孔部が小径に形成されているため、燃焼のための空気をガスバーナーの火炎に円滑に流れ込ませることができる。このためガスバーナーのガスを完全燃焼させることができ、ガス臭の付着を防止することができる。又、キャップ本体が迅速に赤熱状態となって遠赤外線を大量に放射する。これにより食材に対して遠赤外線効果を確実かつ良好に作用させることができ、食材のうまみを向上させることができる。
【図面の簡単な説明】
【００１０】
【図１】本発明の一実施形態のガスバーナー用完全燃焼キャップをガスバーナーに取り付けた状態を示す斜視図である。
【図２】キャップの斜視図である。
【図３】キャップの断面であり、図２のＡ−Ａ線断面図である。
【図４】使用状態を示す部分破断斜視図である。
【図５】（Ａ）、（Ｂ）は本発明の別の実施形態を示す正面図である。
【発明を実施するための形態】
【００１１】
図１〜図４に示す一実施形態により本発明を説明する。図１及び図４に示すように、この実施形態のガスバーナー用完全燃焼キャップ１はガスバーナー２０に装着されて使用される。
ガスバーナー２０は通常のガスバーバーが用いられるものであり、燃焼ガスが封入されたガスボンベ２１と、ガスボンベ２１内の燃焼ガスを燃焼させるバーナー本体２２とを備えている。バーナー本体２２は火炎を噴射する火炎噴射ノズル２３を有している。そして、バーナー本体２２の後側の操作ダイヤル２４を回転操作することにより、火炎噴射ノズル２３から噴射する火炎の大きさや長さを調整することが可能となっている。
【００１２】
ガスバーナー用完全燃焼キャップ１（以下、キャップ１）はガスバーナー２０の火炎噴射ノズル２３の先端部分に着脱自在に装着される。キャップ１は、図２及び図３に示すように、外形が円柱状に形成されたキャップ本体２と、キャップ本体２に形成された噴射孔部３、放熱孔部４、隔壁部５及び保温部６とを有している。
【００１３】
キャップ本体２はセラミック、黒鉛珪石等の粉末を混錬して成形し、焼成することにより形成される。又、キャップ本体２としては、鋳鉄を使用することができる。これらの材料によって作成されることによりキャップ本体２が一定以上の温度に加熱されると赤熱して遠赤外線を放射する。
【００１４】
噴射孔部３はキャップ本体２の中心部分を貫通するように形成されることにより、噴射孔部３はガスバーナー２０の火炎噴射ノズル２３に臨んでいる。図１に示すように、噴射孔部３は火炎噴射ノズル２３から噴射される火炎３０を噴射することにより食材を焼いたり、食材に焦げ目をつけるものである。
【００１５】
放熱孔部４は噴射孔部３の周囲に複数が形成されており、これにより噴射孔部３を囲んでいる。放熱孔部４が噴射孔部３の周囲に配置されることにより噴射孔部３の熱を放熱するように作用する。これによりキャップ本体２が過度の高温になることを防止しキャップ本体２に耐熱性を付与している。又、温度変化によるキャップ本体２の歪みを吸収することができる。
【００１６】
隔壁部５は図２に示すように、噴射孔部３と放熱孔部４との間を区切る第１隔壁部５ａと、隣接した放熱孔部４の間を区切る第２隔壁部５ｂとを有している。これらの第１隔壁部５ａ及び第２隔壁部５ｂは肉薄に形成されており、これにより熱伝導を迅速に行うことができる。熱伝導が迅速に行われるため、ガスバーナー２０の火炎３０によって第１隔壁部５ａ及び第２隔壁部５ｂが短時間で赤熱状態となる。このため、遠赤外線放射を迅速に行うことができる。又、熱伝導が円滑になされるため、遠赤外線の放射領域が広範囲となる。このように遠赤外線が広範囲で照射されるため、大量に放射することができ、食材の広い範囲に対して遠赤外線効果を長時間作用させることができる。
【００１７】
保温部６は放熱孔部４の周囲を肉厚とすることにより設けられている。保温部６が放熱孔部４の周囲で肉厚となっていることにより、ガスバーナー２０の火炎からの熱を保温することができる。従って、繰り返し使用する際にキャップ本体２の全体が短時間で高温となるため、加熱のための熱量の節約を行うことができる。又、保温部６が肉厚となっているため、キャップ本体２に強度を付与することができ、耐久性が向上する。
【００１８】
以上に加えてキャップ本体２には、図３に示すように、背面側にノズル受け孔７が形成されている。このノズル受け孔７にガスバーナー２０の火炎噴射ノズル２３が嵌め込まれることにより、図４に示すようにキャップ本体２が火炎噴射ノズル２３に着脱自在に被せられる。
【００１９】
ノズル受け孔７は噴射孔部３及び放熱孔部４を合わせた径よりも大径となっている。すなわち噴射孔部３及び放熱孔部４はノズル受け孔７よりも小径となっており、図３に示すように、ノズル受け孔７に導入された空気流Ａに対し噴射孔部３及び放熱孔部４に入り込んだ空気流Ｂの流速が大きくなる。噴射孔部３及び放熱孔部４内の空気流Ｂの流速が大きくなると、ベルヌーイの定理から空気流Ｂの圧力が小さくなるため、周囲の空気が空気流Ｂに流れ込む。すなわちキャップ本体２の先端面（前面）に沿って周囲の空気が大量に流れ込むため、噴射孔部３から出射する火炎３０に大量の空気が入り込み、火炎３０を完全燃焼させることができる。この完全燃焼によってガスバーナー２０のガス臭をなくすことができる。
【００２０】
この実施形態においては、図３に示すように、キャップ本体２の前面に湾曲状の凹み面が形成されており、周囲の空気が凹み面に沿って流れ易くなっている。しかも、噴射孔部３が凹み面中央の底面部分に開口しているため、周囲の空気が噴射孔部３方向に円滑且つ大量に流れることができる。これによっても、噴射孔部３からの火炎３０の完全燃焼させることができる。
【００２１】
図５は、ガスバーナー用完全燃焼キャップ１の別の実施形態をそれぞれ示す。（Ａ）は噴射孔部３周囲の放熱孔部４を円形に形成したものである。
（Ｂ）は噴射孔部３を複数（４つ）の小径孔３ａ、３ｂによって形成したものであり、小径孔３ａ、３ｂとすることにより周囲の空気が大量に小径孔３ａ、３ｂに向かって流れるため、小径孔３ａ、３ｂからの火炎の完全燃焼させることができる。なお、図５（Ｂ）においては、円形の放熱孔部４を噴射孔部３の周囲に８個形成しているが、これに限定されるものではない。
【００２２】
以上のガスバーナー用完全燃焼キャップ１によれば、キャップ本体２をガスバーナー２０へ装着し、ガスバーナー２０の火炎噴射ノズル２３から火炎３０を噴射する。火炎３０の噴射では、噴射孔部３からの火炎３０を完全燃焼させることができるため、ガス臭が食材に付着することを防止することができる。又、火炎３０の噴射によって噴射孔部３周囲の隔壁部５ａ、５ｂが迅速に赤熱状態となってキャップ本体２が遠赤外線を大量に放射する。これにより食材に対して遠赤外線効果を確実に良好に作用させることができ、食材をふっくらと焼くことができると共に食材のうまみを向上させることができる。
又、キャップ本体２の全体が円柱状の外形となっているため、コンパクトであり、取り扱い性が良好となる。さらには、噴射孔部３の周囲に放熱孔部４が整然と設けられたデザインとなっているため、製品としての美感を向上させることができる。
【符号の説明】
【００２３】
１  ガスバーナー用完全燃焼キャップ
２  キャップ本体
３  噴射孔部
４  放熱孔部
５  隔壁部
５ａ  第１隔壁部
５ｂ  第２隔壁部
６  保温部
７  ノズル受け孔
２０  ガスバーナー
２３  火炎噴射ノズル
【図１】
2020056522.tif 000003
【図２】
2020056522.tif 000004
【図３】
2020056522.tif 000005
【図４】
2020056522.tif 000006
【図５】
2020056522.tif 000007